(57)【要約】【課題】ハッチョウトンボの生息環境を評価する技術を提供する。【解決手段】評価対象となる領域の水に関する水情報、該評価対象となる領域の土に関する土情報、該評価対象となる領域の植物の生育状況に関する植生情報のうち少なくとも何れか一つの情報を含むハッチョウトンボの生息環境情報を取得する情報取得ステップと、情報取得ステップで取得される生息環境情報が、ハッチョウトンボの生息環境条件であって、ハッチョウトンボが生息可能な領域の水に関する水条件、ハッチョウトンボが生息可能な領域の土に関する土条件、ハッチョウトンボが生息可能な領域の植物に関する植生条件のうち少なくとも何れか一つの条件を含む生息環境条件を満たすか否か判定し、生息環境情報が生息環境条件を満たす場合、評価対象となる領域がハッチョウトンボの生息環境として適していると評価する評価ステップと、を備える。【選択図】図１２
2012213336.tif 000002
【特許請求の範囲】
【請求項１】
ハッチョウトンボの生息環境評価方法であって、
評価対象となる領域の水に関する水情報、該評価対象となる領域の土に関する土情報、該評価対象となる領域の植物の生育状況に関する植生情報のうち少なくとも何れか一つの情報を含む前記ハッチョウトンボの生息環境情報を取得する情報取得ステップと、
前記情報取得ステップで取得される前記生息環境情報が、前記ハッチョウトンボの生息環境条件であって、前記ハッチョウトンボが生息可能な領域の水に関する水条件、前記ハッチョウトンボが生息可能な領域の土に関する土条件、前記ハッチョウトンボが生息可能な領域の植物に関する植生条件のうち少なくとも何れか一つの条件を含む生息環境条件を満たすか否か判定し、前記生息環境情報が前記生息環境条件を満たす場合、前記評価対象となる領域がハッチョウトンボの生息環境として適していると評価する評価ステップと、を備えるハッチョウトンボの生息環境評価方法。
【請求項２】
前記情報取得ステップでは、前記土情報として、全窒素に関する情報、土色に関する情報、土の炭素含有率に関する情報、土の粘性に関する情報のうち少なくとも何れか一つを含む情報を取得し、
前記評価ステップでは、前記全窒素に関する情報、前記土色に関する情報、前記炭素含有率に関する情報、前記土の粘性に関する情報の各々が、前記全窒素に関する条件、前記土色に関する条件、前記炭素含有率に関する条件、前記土の粘性に関する条件の各々を満たすか否か判定し、満たす場合には前記評価対象となる領域がハッチョウトンボの生息環境として適していると評価する、請求項１に記載のハッチョウトンボの生息環境評価方法。
【請求項３】
前記情報取得ステップでは、前記水情報として、電気伝導度に関する情報を取得し、
前記評価ステップでは、前記電気伝導度に関する情報が、電気伝導度に関する条件を満たすか否か判定し、満たす場合には前記評価対象となる領域がハッチョウトンボの生息環境として適していると評価する、請求項１又は２に記載のハッチョウトンボの生息環境評価方法。
【請求項４】
前記情報取得ステップでは、前記植生情報として、植物の種類に関する情報、植物の植被率に関する情報、植物の植生高に関する情報のうち少なくとも何れか一つを含む情報を取得し、
前記評価ステップでは、前記植物の種類に関する情報、植物の植被率に関する情報、植物の植生高に関する情報の各々が、前記植物の種類に関する条件、植物の植被率に関する条件、植物の植生高に関する条件の各々を満たすか否か判定し、満たす場合には前記評価対象となる領域がハッチョウトンボの生息環境として適していると評価する、請求項１に記載のハッチョウトンボの生息環境評価方法。
【請求項５】
請求項１から４の何れか１項に記載のハッチョウトンボの生息評価方法を行う評価工程と、
所定の領域に対してハッチョウトンボの生息環境を整備する整備工程と、を含むハッチョウトンボの生息環境整備方法。
【請求項６】
前記整備工程では、前記所定の領域を複数設定し、各領域を所定期間毎に、かつ、異なるタイミングで耕起する、請求項５に記載のハッチョウトンボの生息環境整備方法。
【請求項７】
前記評価工程では、前記整備工程で整備された所定の領域を評価する、請求項５又は６に記載のハッチョウトンボの生息環境整備方法。
【発明の詳細な説明】
【技術分野】
【０００１】
本発明は、ハッチョウトンボの生息環境評価方法、及びハッチョウトンボの生息環境整備方法に関する。
【背景技術】
【０００２】
近年、所定規模以上の事業開発では、開発による環境への影響を事前に調査し、予測、及び評価する環境アセスメントの実施が義務づけられつつある。環境アセスメントに関する技術として、例えば特許文献１に記載の技術がある。特許文献１には、対象地域を格子状に分割した各区画に生育する植生の所定植生区分表による区分を求め且つ各区画に該区分と対応する識別子を割り当てて地域植生図を作図し、評価対象野生動物毎に該動物が生息可能な植生の区分と該生息可能植生の群落の広がりの下限値とを記録した動物・植生対応表Ｔを作成し、地域植生図から前記識別子に基づき評価対象動物毎に生育可能植生区分の区画のみを抽出して生育評価植生図を作成し、生育評価植生図における領域の広がりと前記下限値との比較により前記対象地域における評価対象動物の生息可能性を評価することが開示されている。
【先行技術文献】
【特許文献】
【０００３】
【特許文献１】特許第４５５３２３０号公報
【発明の概要】
【発明が解決しようとする課題】
【０００４】
近年、所定規模以上の事業開発では、開発による環境への影響を事前に調査し、予測、及び評価する環境アセスメントの実施が義務づけられつつある。一方で、本出願人は、従来より種々の生物の生息環境調査を行っており、ハッチョウトンボの生息環境調査もその一つである。ハッチョウトンボは、湿地や湿原に生息することが知られていたが、ハッチョウトンボの生息環境を具体的に評価する方法やハッチョウトンボの生息環境を整備する方法は確立されていなかった。
【０００５】
本発明では、上記した背景に鑑み、ハッチョウトンボの生息環境を評価する技術を提供することを課題とする。
【課題を解決するための手段】
【０００６】
本発明では、上述した課題を解決するため、ハッチョウトンボの生息環境調査結果からハッチョウトンボの生息環境の評価条件を導き、評価条件に基づいてハッチョウトンボが生息可能か否かを評価することとした。
【０００７】
より詳細には、本発明は、ハッチョウトンボの生息環境評価方法であって、評価対象となる領域の水に関する水情報、該評価対象となる領域の土に関する土情報、該評価対象となる領域の植物の生育状況に関する植生情報のうち少なくとも何れか一つの情報を含む前記ハッチョウトンボの生息環境情報を取得する情報取得ステップと、前記情報取得ステップで取得される前記生息環境情報が、前記ハッチョウトンボの生息環境条件であって、前記ハッチョウトンボが生息可能な領域の水に関する水条件、前記ハッチョウトンボが生息可能な領域の土に関する土条件、前記ハッチョウトンボが生息可能な領域の植物に関する植生条件のうち少なくとも何れか一つの条件を含む生息環境条件を満たすか否か判定し、前記生息環境情報が前記生息環境条件を満たす場合、前記評価対象となる領域がハッチョ
ウトンボの生息環境として適していると評価する評価ステップと、を備えるハッチョウトンボの生息環境評価方法である。
【０００８】
ハッチョウトンボの生息環境には、低茎草本が優占する湿生植物群落が適していると考えられている。ここで、低茎草本が優占する湿生植物群落は、高茎草本類や木本類を含む植物群落への遷移の途中の植物群落であり、放置すると遷移の進行によりハッチョウトンボの生息に適さない環境となる。従って、ハッチョウトンボの生息環境を評価するに際しては、対象となる植物群落が、遷移途中にある湿生植物群落であるか否かを評価する必要があり、従来その評価が困難であった。また、ハッチョウトンボの生息環境に適する遷移途中の湿生植物群落を維持するためには、常に評価を行う必要があり、非常に煩雑であった。本発明に係るハッチョウトンボの生息環境評価方法（以下、単に評価方法ともいう）では、ハッチョウトンボの生息が確認された領域に対して調査を実施し、ハッチョウトンボが生息可能な評価条件を導き、評価条件に対応する情報を取得して比較することで、評価対象となる領域がハッチョウトンボの生息環境として適しているか評価することが可能となる。
【０００９】
ここで、本発明に係るハッチョウトンボの生息環境評価方法において、前記情報取得ステップでは、前記土情報として、全窒素に関する情報、土色に関する情報、土の炭素含有率に関する情報、土の粘性に関する情報のうち少なくとも何れか一つを含む情報を取得し、前記評価ステップでは、前記全窒素に関する情報、前記土色に関する情報、前記炭素含有率に関する情報、前記土の粘性に関する情報の各々が、前記全窒素に関する条件、前記土色に関する条件、前記炭素含有率に関する条件、前記土の粘性に関する条件の各々を満たすか否か判定し、満たす場合には前記評価対象となる領域がハッチョウトンボの生息環境として適していると評価するようにしてもよい。
【００１０】
全窒素は、土壌の栄養分評価の基準とすることができ、例えば、全窒素<０．６ｇ／ｋ
ｇであれば、その土壌が貧栄養土壌であると評価することができる。貧栄養土壌では、植生遷移の進行が緩やかになり、低茎草本が優占する植物群落を維持しやすい。従って、全窒素は、ハッチョウトンボの生息環境として適しているか評価する際の評価条件の一つとすることができる。例えば、全窒素<０．６ｇ／ｋｇの場合、ハッチョウトンボの生息環
境として適していると評価することができる。
【００１１】
土色や炭素含有率は、有機物含有量（腐食含有量）の評価条件とすることができる。例えば、土色が５〜８／８、４〜６／６、４〜６／４（標準土色帳による。色相はいずれも７．５ＹＲ又は１０ＹＲ。）であり、炭素含有率（％）が０〜３の場合、腐食含有率が乏しいと評価することができる。有機物が多く含まれる土壌では、有機物が分解されることにより植物に養分を供給するため、植生遷移の進行を早める可能性がある。従って、ハッチョウトンボの生息環境としては、土壌の有機物含有量（腐食含有量）は少ない方がよい。そこで、土色や炭素含有率は、ハッチョウトンボの生息環境として適しているか評価する際の評価条件の一つとすることができる。例えば、土色が５〜８／８、４〜６／６、４〜６／４（標準土色帳による。色相はいずれも７．５ＹＲ又は１０ＹＲ。）であり、炭素含有率（％）が０から３の場合、ハッチョウトンボの生息環境として適していると評価することができる。
【００１２】
土の粘性は、土の保水性の評価条件とすることができる。保水性が高い（排水性が悪い）粘性土壌（例えば、ＨＣ（重埴土）、ＬｉＣ（軽埴土）を含む土壌）の場合、土壌の湿性状態を維持しやすいと評価することができる。湿性状態を維持しやすい土壌では、植生遷移の進行が緩やかになり、低茎草本が優占する植物群落を維持しやすい。従って、土の粘性は、ハッチョウトンボの生息環境として適しているか評価する際の評価条件の一つとすることができる。例えば、ＨＣ（重埴土）、ＬｉＣ（軽埴土）を含む土壌の場合、ハッ
チョウトンボの生息環境として適していると評価することができる。
【００１３】
また、本発明に係るハッチョウトンボの生息環境評価方法において、前記情報取得ステップでは、前記水情報として、電気伝導度に関する情報を取得し、前記評価ステップでは、前記電気伝導度に関する情報が、電気伝導度に関する条件を満たすか否か判定し、満たす場合には前記評価対象となる領域がハッチョウトンボの生息環境として適していると評価するようにしてもよい。
【００１４】
電気伝導度は、水質の評価条件とすることができる。水質が富栄養であると植物の成長速度が早くなり、大型の植物が生育しやすくなり、植生遷移の進行が速まり、低茎草本が優占する植物群落を維持しにくい。換言すると、貧栄養の水質であれば、植生遷移の進行が緩くなり、低茎草本が優占する植物群落を維持しやすい。また、富栄養な水質は、大型の外来種が繁茂しやすく、酸性かつ貧栄養な水質環境では外来種の侵略的な生息が少ない。従って、電気伝導度は、ハッチョウトンボの生息環境として適しているか評価する際の評価条件の一つとすることができる。例えば、電気伝導度（μｓ／ｃｍ）が１７〜２１０、より好ましくは１７〜５５である場合、ハッチョウトンボの生息環境として適していると評価することができる。
【００１５】
また、本発明に係るハッチョウトンボの生息環境評価方法において前記情報取得ステップでは、前記植生情報として、植物の種類に関する情報、植物の植被率に関する情報、植物の植生高に関する情報のうち少なくとも何れか一つを含む情報を取得し、前記評価ステップでは、前記植物の種類に関する情報、植物の植被率に関する情報、植物の植生高に関する情報の各々が、前記植物の種類に関する条件、植物の植被率に関する条件、植物の植生高に関する条件の各々を満たすか否か判定し、満たす場合には前記評価対象となる領域がハッチョウトンボの生息環境として適していると評価するようにしてもよい。
【００１６】
上述したように、ハッチョウトンボの生息環境には、低茎草本が優占する湿生植物群落が適している。従って、植物の種類などによってもハッチョウトンボの生息環境として適しているかを評価することができる。例えば、アゼスゲ、イ、イボクサ、コアゼガヤツリ、サンカクイ、シカクイ、チゴザサ、ヒメジソ、ホタルイ、ミズゴケ、ミミカキグサ、モウセンゴケが確認される場合、ハッチョウトンボの生息環境として適していると評価することができる。また、コドラート（調査区）における平均植被率が２０〜６０％の場合、ハッチョウトンボの出現指数が最大となり、平均植被率が６０％を上回ると出願指数が減少傾向を示すことが本出願人の調査によって確認された。従って、例えば、平均植被率が２０〜６０％の場合、ハッチョウトンボの生息環境として適していると評価することができる。また、コドラート（調査区）における平均植生高が１０〜４０ｃｍの場合、ハッチョウトンボの出現指数が高く、平均植生高が４０ｃｍを上回ると出願指数が減少傾向を示すことが本出願人の調査によって確認された。従って、例えば、平均植生高が１０〜４０ｃｍの場合、ハッチョウトンボの生息環境として適していると評価することができる。更に、コドラート（調査区）における平均水面率が３０〜８０％の場合、ハッチョウトンボの出現率が高いことが本出願人の調査によって確認された。従って、例えば、平均水面率が３０〜８０％の場合、ハッチョウトンボの生息環境として適していると評価することができる。
【００１７】
ここで、本発明は、ハッチョウトンボの生息環境整備方法として特定することもできる。例えば、本発明は、上述したハッチョウトンボの生息評価方法を行う評価工程と、所定の領域に対してハッチョウトンボの生息環境を整備する整備工程と、を含むハッチョウトンボの生息環境整備方法である。
【００１８】
本発明によれば、ハッチョウトンボの生息環境を整備することができる。評価工程は、
整備工程前に調査として行ってもよく、また、整備工程後又は整備工程と共に、確認又は管理として行ってもよい。整備工程には、ハッチョウトンボの生息環境を維持するための管理工程も含まれる。また、整備工程には、評価工程を行うことでハッチョウトンボの生息環境に適していると評価された土壌の移植、アゼスゲ、イボクサ、コアゼガヤツリなどハッチョウトンボの生息環境に適している植物の移植、ハッチョウトンボ又はその幼虫の移植などが例示される。
【００１９】
また、本発明に係るハッチョウトンボの生息環境整備方法において、前記整備工程では、前記所定の領域を複数設定し、各領域を所定期間毎に、かつ、異なるタイミングで耕起するようにしてもよい。これにより、維持管理の省力化を図りながら、多様な遷移段階の湿地環境を整備することができる。なお、本発明は、上述した整備工程を備えるにハッチョウトンボの生息環境整備方法としてもよい。換言すると、整備工程は、評価工程とは独立した発明として特定することもできる。
【００２０】
また、本発明は、ハッチョウトンボの生息環境評価装置として特定することもできる。例えば、本発明は、ハッチョウトンボの生息環境評価装置であって、評価対象となる領域の水に関する水情報、該評価対象となる領域の土に関する土情報、該評価対象となる領域の植物の生育状況に関する植生情報のうち少なくとも何れか一つの情報を含む前記ハッチョウトンボの生息環境情報を取得する情報取得部と、前記情報取得部で取得される前記生息環境情報が、前記ハッチョウトンボの生息環境条件であって、前記ハッチョウトンボが生息可能な領域の水に関する水条件、前記ハッチョウトンボが生息可能な領域の土に関する土条件、前記ハッチョウトンボが生息可能な領域の植物に関する植生条件のうち少なくとも何れか一つの条件を含む生息環境条件を満たすか否か判定し、前記生息環境情報が前記生息環境条件を満たす場合、前記評価対象となる領域がハッチョウトンボの生息環境として適していると評価する評価部と、を備えるハッチョウトンボの生息環境評価装置である。
【００２１】
また、本発明は、上述したハッチョウトンボの生息環境評価方法を実現させるプログラムであってもよい。更に、本発明は、そのようなプログラムを記録したコンピュータが読み取り可能な記録媒体であってもよい。この場合、コンピュータ等に、この記録媒体のプログラムを読み込ませて実行させることにより、その機能を提供させることができる。なお、コンピュータ等が読み取り可能な記録媒体とは、データやプログラム等の情報を電気的、磁気的、光学的、機械的、又は化学的作用によって蓄積し、コンピュータ等から読み取ることができる記録媒体をいう。
【発明の効果】
【００２２】
本発明によれば、ハッチョウトンボの生息環境を評価する技術を提供することができる。
【図面の簡単な説明】
【００２３】
【図１】実施形態に係るハッチョウトンボの生息環境評価方法を実行する評価装置の機能ブロック図を示す。
【図２】実施形態に係る評価装置を複数備える評価処理システムの構成の一例を示す。
【図３】生息環境データベースの一例を示す。
【図４】水の電気伝導度と発達する湿原植生の関係を示す。
【図５】実際に行った調査結果の一例を示す。
【図６】調査区の位置を示す平面図である。
【図７】全窒素による土壌の栄養分評価を示す。
【図８】土色による腐食含有率の評価を示す。
【図９】望ましい粒径塑性範囲（国際法）及び分析結果を示す。
【図１０】ハッチョウトンボのＳＩモデル（植被率）を示す。
【図１１】ハッチョウトンボのＳＩモデル（植生高）を示す。
【図１２】ハッチョウトンボのＳＩモデル（水面率）を示す。
【図１３】実施形態に係る評価処理フローを示す。
【図１４】実施形態に係るハッチョウトンボの生息環境整備方法の工程を示す。
【図１５】耕起によるローテーション管理模式図を示す。
【図１６】整備環境方法を実行することで整備されるハッチョウトンボの生息環境イメージの断面図を示す。
【発明を実施するための形態】
【００２４】
次に、本発明に係るハッチョウトンボの生息環境評価方法、及びハッチョウトンボの生息環境整備方法の実施形態について図面に基づいて説明する。なお、以下に説明する実施形態は例示であり、本発明は以下に説明する実施形態に限定されない。
【００２５】
＜構成＞
実施形態に係る評価装置１は、汎用のコンピュータによって構成することができ、図１に示すように、表示装置２、入力装置３、記憶装置４、インターフェース５、制御装置６を備える。表示装置２は、例えば、液晶表示装置、プラズマディスプレイパネル、ＣＲＴ（Ｃａｔｈｏｄｅ  Ｒａｙ  Ｔｕｂｅ）、エレクトロルミネッセンスパネル等である。入力装置３は、コンピュータの入力装置であり、例えば、キーボード、ポインティングデバイス等が含まれる。記憶装置４は、ハードディスクドライブ（以下、ＨＤＤとする。）や半導体メモリ等により構成することができ、各種データベースを格納する。インターフェース５は、ＵＳＢ等のシリアルインターフェース、あるいは、ＰＣＩ（Ｐｅｒｉｐｈｅｒａｌ  Ｃｏｍｐｏｎｅｎｔ  Ｉｎｔｅｒｃｏｎｎｅｃｔ）等のパラレルインターフェースのいずれでもよい。
【００２６】
なお、図２は、実施形態に係る評価装置を複数備える評価処理システムの構成の一例を示す。図２に示す評価処理システム９は、複数の評価装置１、サーバ７１、外部記憶装置７２を備え、複数の評価装置１、サーバ７１、外部記憶装置７２がネットワーク８を介して接続されている。複数の評価装置１をネットワーク８を介してサーバ７１と接続し、サーバ７１で管理される外部記憶装置７２に後述する各種データ（評価条件等）を格納する。その結果、データをサーバ７１で管理される外部記憶装置７２に集約し、各評価装置１から集約されたデータに基づいて評価を行うことができる。
【００２７】
制御装置６は、ＣＰＵ６１（中央演算処理装置）、メモリ６２を備え、制御プログラムに従って、表示装置２、入力装置３、記憶装置４、インターフェース５を制御する。また、制御装置６は、所定のプログラムに従って、情報取得部６３、評価部６４、出力部６５などの機能部を機能させる。各機能部は、ＣＰＵ６１上で実行されるコンピュータプログラムとして構成することができる。また、これらの各機能部は、専用のプロセッサとして構成してもよく、また、一つのプロセッサとして構成してもよい。メモリ６２は、揮発性のＲＡＭ（Ｒａｎｄｏｍ  Ａｃｃｅｓｓ  Ｍｅｍｏｒｙ）と、不揮発性のＲＯＭ（Ｒｅａｄ  Ｏｎｌｙ  Ｍｅｍｏｒｙ）を含む。ＲＯＭには、フラッシュメモリのような書き換え可能な半導体メモリも含まれる。
【００２８】
情報取得部６３は、ハッチョウトンボの生息環境情報を取得する。具体的には、入力装置３を介して生息環境情報が入力され記憶装置４に記憶される。情報取得部６３は、記憶装置４にアクセスし、生息環境情報を取得する。生息環境情報には、評価対象となる領域の水に関する水情報、評価対象となる領域の土に関する土情報、評価対象となる領域の植物の生育状況に関する植生情報が例示される。
【００２９】
評価部６４は、生息環境情報が、ハッチョウトンボの生息環境条件を満たすか否か判定し、生息環境情報が生息環境条件を満たす場合、評価対象となる領域がハッチョウトンボの生息環境として適していると評価する。生息環境条件は、予め記憶装置４に記憶されている。評価部６４は、記憶装置４にアクセスし、生息環境情報と生息環境条件とを比較し、生息環境情報が生息環境条件を満たすか否か判定し、満たす場合には評価対象となる領域がハッチョウトンボの生息環境として適していると評価する。生息環境条件には、ハッチョウトンボが生息可能な領域の水に関する水条件、ハッチョウトンボが生息可能な領域の土に関する土条件、ハッチョウトンボが生息可能な領域の植物に関する植生条件が例示される。これらの条件は、ハッチョウトンボが生息する環境で実施された調査に基づいて決定される。なお、評価の詳細については、後述する。
【００３０】
出力部６５は、評価結果を表示装置２に表示させる。
【００３１】
（生息環境条件）
ここで、図３は、記憶装置４に記憶される生息環境条件のデータベースの一例を示す。生息環境条件は、ハッチョウトンボが生息可能な領域の水に関する水条件、ハッチョウトンボが生息可能な領域の土に関する土条件、ハッチョウトンボが生息可能な領域の植物に関する植生条件に大別される。
【００３２】
水条件は、水質、水深に区分けされる。また、水質には、電気伝導度（ＥＣ：μｓ／ｃｍ）が例示される。電気伝導度は、水質の評価条件である。水質が富栄養であると植物の成長速度が早くなり、大型の植物が生育しやすくなり、植生遷移の進行が速まり、低茎草本が優占する植物群落を維持しにくい。換言すると、貧栄養の水質であれば、植生遷移の進行が緩くなり、低茎草本が優占する植物群落を維持しやすい。また、富栄養な水質は、大型の外来種が繁茂しやすく、酸性かつ貧栄養な水質環境では外来種の侵略的な生息が少ない。そこで、電気伝導度は、ハッチョウトンボの生息環境として適しているか評価する際の評価条件の一つとすることができる。電気伝導度（μｓ／ｃｍ）が１７〜２１０（第一条件）、より好ましくは１７〜５５（第二条件）である場合、ハッチョウトンボの生息環境として適していると評価することができる。このように、条件は、第一条件、第二条件のように段階的に設定することもできる。なお、図４は、水の電気伝導度と発達する湿原植生の関係を示す。図４に示すように、電気伝導度が５５（μｓ／ｃｍ）を下回る貧栄養水であれば、湿原植生を成立させることができる。その結果、ハッチョウトンボが生息可能となる。
【００３３】
水質には、電気伝導度の他、水素イオン指数（ｐＨ）、濁度、溶存酸素量（ＤＯ：ｍｇ／ｌ）、生物化学的酸素要求量（ＢＯＤ：ｍｇ／ｌ）、化学的酸素要求量（ＣＯＤ：ｍｇ／ｌ）、水温（℃）を含めることができる。これらの条件は、調査結果に基づいて適宜設定することができ、また、新たな調査結果が得られた場合には適宜更新することができる。ここで、図５は、実際に行った調査結果の一例を示し、図６は、調査区の位置を示す平面図である。この調査では、調査区NO.1〜NO.5に対して調査を行った。調査区NO.1は、１０ｍ×１０ｍの領域からなり、低茎草本が優占しており、ハッチョウトンボにとって好適生息環境と想定される。調査区NO.2は、４ｍ×４ｍの領域からなり、ヨシが優占しており、調査区NO.1よりも劣る環境と想定される。調査区NO.3は、４ｍ×４ｍの領域からなり、乾燥傾向にあり、ハッチョウトンボにとっては不適環境と想定される。調査区NO.4は、４ｍ×８ｍの領域からなり、低茎草本が優占しており、ハッチョウトンボにとって好適生息環境と想定される。調査区NO.5は、４ｍ×４ｍの領域からなり、ヨシが密に優占しており、ハッチョウトンボにとっては不適環境と想定される。図５に示す調査結果によれば、調査区NO.1、調査区NO.4においてハッチョウトンボの生息が確認されている。したがって、調査区NO.1又はNO.4の調査結果に基づいて生息環境条件を設定することができる。
【００３４】
土情報は、全窒素（ｇ／ｋｇ）、土色、土の炭素含有率（％）、土の粘性に区分けされる。
【００３５】
全窒素は、土壌の栄養分評価の基準とすることができ、例えば、全窒素＜０．６ｇ／ｋｇであれば、その土壌が貧栄養土壌であると評価することができる。図７は、全窒素による土壌の栄養分評価を示す（「緑化事業における植栽基盤マニュアル」（日本造園学会２００）より抜粋）。貧栄養土壌では、植生遷移の進行が緩やかになり、低茎草本が優占する植物群落を維持しやすい。従って、全窒素は、ハッチョウトンボの生息環境として適しているか評価する際の評価条件の一つとすることができる。例えば、全窒素＜０．６ｇ／ｋｇの場合、ハッチョウトンボの生息環境として適していると評価することができる。なお、図５、図６に基づいて説明した実際に行った調査では、調査区NO.1及びNO.4の全窒素は、０．５ｇ／ｋｇであることが確認された。
【００３６】
土色や炭素含有率は、有機物含有量（腐食含有量）の評価条件とすることができる。例えば、土色が５〜８／８、４〜６／６、４〜６／４（標準土色帳による。色相はいずれも７．５ＹＲ又は１０ＹＲ。）であり、炭素含有率（％）が０〜３の場合、腐食含有率が乏しいと評価することができる。図８は、土色による腐食含有率の評価（「森林土壌の調べ方とその性質」（林野弘済会１９９３）より抜粋）を示す。有機物が多く含まれる土壌では、有機物が分解されることにより植物に養分を供給するため、植生遷移の進行を早める可能性がある。従って、ハッチョウトンボの生息環境としては、土壌の有機物含有量（腐食含有量）は少ない方がよい。そこで、土色や炭素含有率は、ハッチョウトンボの生息環境として適しているか評価する際の評価条件の一つとすることができる。例えば、土色が５〜８／８、４〜６／６、４〜６／４（標準土色帳による。色相はいずれも７．５ＹＲ又は１０ＹＲ。）であり、炭素含有率（％）が０〜３の場合、ハッチョウトンボの生息環境として適していると評価することができる。なお、図５、図６に基づいて説明した実際に行った調査では、調査区NO.1及びNO.4の土色は、１０ＹＲ４／６であることが確認された。
【００３７】
土の粘性は、土の保水性の評価条件とすることができる。保水性が高い（排水性が悪い）粘性土壌（例えば、ＨＣ（重埴土）、ＬｉＣ（軽埴土）を含む土壌）の場合、土壌の湿性状態を維持しやすいと評価することができる。図９は、望ましい粒径塑性範囲（国際法）及び分析結果を示す。湿性状態を維持しやすい土壌では、植生遷移の進行が緩やかになり、低茎草本が優占する植物群落を維持しやすい。従って、土の粘性は、ハッチョウトンボの生息環境として適しているか評価する際の評価条件の一つとすることができる。例えば、ＨＣ（重埴土）、ＬｉＣ（軽埴土）を含む土壌の場合、ハッチョウトンボの生息環境として適していると評価することができる。なお、図９の○印は、現地における分析結果を示す。
【００３８】
植生条件は、植物の種類、植物の植被率、植物の植生高、水面率に区分けされる。
【００３９】
植物の種類などによってもハッチョウトンボの生息環境として適しているか評価することができる。例えば、アゼスゲ、イ、イボクサ、コアゼガヤツリ、サンカクイ、シカクイ、チゴザサ、ヒメジソ、ホタルイ、ミズゴケ、ミミカキグサ、モウセンゴケが確認される場合、ハッチョウトンボの生息環境として適していると評価することができる。
【００４０】
平均植被率は、２０〜６０％に設定されている。これは、図５、図６に基づいて説明した実際に行った調査結果に基づく。図５、図６に基づいて説明した実際に行った調査では、コドラート（調査区）における平均植被率が２０〜６０％の場合、ハッチョウトンボの出現指数が最大となり、平均植被率が６０％を上回ると出願指数が減少傾向を示すことが
確認された。図１０は、ハッチョウトンボのＳＩモデル（植被率）を示す。ＳＩ（Suitability Index；適正指数）モデルとは、ある土地における特定の野生生物のハビタット（
生息環境）としての適性を求めるためのモデルである。このモデルでは、ハビタットの適性が0（不適）〜1（最適）という値で表される。図１０の縦軸は指数、横軸は植被率を示す。図９に示すように、平均植被率が２０〜６０％で最適となっている。
【００４１】
平均植生高は、１０〜４０ｃｍに設定されている。これは、図５、図６に基づいて説明した実際に行った調査結果に基づく。図５、図６に基づいて説明した実際に行った調査では、コドラート（調査区）における平均植生高が１０〜４０ｃｍの場合、ハッチョウトンボの出現指数が高く、平均植生高が４０ｃｍを上回ると出願指数が減少傾向を示すことが確認された。図１１は、ハッチョウトンボのＳＩモデル（植生高）を示す。図１１の縦軸は指数、横軸は植生高を示す。図１１に示すように、平均植生高が１０〜４０ｃｍで最適となっている。
【００４２】
平均水面率は、平均水面率が３０〜８０％に設定されている。これは、図５、図６に基づいて説明した実際に行った調査結果に基づく。図５、図６に基づいて説明した実際に行った調査では、コドラート（調査区）における平均水面率が３０〜８０％の場合、ハッチョウトンボの出現率が高いことが確認された。図１１は、ハッチョウトンボのＳＩモデル（水面率）を示す。図１２の縦軸は指数、横軸は水面率を示す。図１２に示すように、平均水面率が３０〜８０％で最適となっている。
【００４３】
＜評価処理＞
次に、評価装置１で実行される評価処理について説明する。図１３は、実施形態に係る評価処理フローを示す。ステップＳ０１では、評価装置の制御装置６は、ハッチョウトンボの生息環境情報を取得する。具体的には、制御装置６は、入力装置３を介して生息環境情報の入力を受け付け、入力された生息環境情報を記憶装置４に記憶させる。生息環境情報は、生息環境条件に対応するものであり、生息環境情報と対応する生息環境条件とを比較することで、最終的に評価対象となる領域がハッチョウトンボの生息環境として適しているか否か評価することが可能となる。生息環境情報には、評価対象となる領域の水に関する水情報、評価対象となる領域の土に関する土情報、評価対象となる領域の植物の生育状況に関する植生情報が含まれる。また、水情報には、水質、水深が含まれ、水質には、電気伝導度（ＥＣ：μｓ／ｃｍ）、水素イオン指数（ｐＨ）、濁度、溶存酸素量（ＤＯ：ｍｇ／ｌ）、生物化学的酸素要求量（ＢＯＤ：ｍｇ／ｌ）、化学的酸素要求量（ＣＯＤ：ｍｇ／ｌ）、水温（℃）が含まれる。また、土情報には、全窒素（ｇ／ｋｇ）、土色、土の炭素含有率（％）、土の粘性が含まれる。また、植物の種類、植物の植被率、植物の植生高、水面率が含まれる。生息環境情報の取得が完了すると、ステップＳ０２へ進む。
【００４４】
ステップＳ０２では、評価装置の制御装置６は、対象となる領域がハッチョウトンボの生息環境として適しているか評価する。具体的には、評価装置の制御装置６は、記憶装置４に記憶される生息環境条件のデータベースへアクセスし、ステップＳ０１で取得した生息環境情報が、生息環境条件のデータベースに記憶されている生息環境条件を満たすか否か判定し、生息環境情報が生息環境条件を満たす場合、評価対象となる領域がハッチョウトンボの生息環境として適していると評価する。一方、評価装置の制御装置６は、生息環境情報が生息環境条件を満たしていない場合、評価対象となる領域がハッチョウトンボの生息環境として適さないと評価する。例えば、評価装置の制御装置６は、生息環境情報として取得した、水質、水深、全窒素、土色、土の炭素含有率、土の粘性、植物の種類、植物の平均植被率、植物の平均植生高、平均水面率と、生息環境条件としての、水質、水深、全窒素、土色、土の炭素含有率、土の粘性、植物の種類、植物の平均植被率、植物の平均植生高、平均水面率とを夫々比較し、各情報が各条件を満たしているか否か判定する。なお、評価装置の制御装置６は、条件を一つでも満たしていればハッチョウトンボの生息
環境として適していると評価してもよい。また、評価装置の制御装置６は、比較件数における該当数（満たすと判定された件数）が所定数を上回った場合に、ハッチョウトンボの生息環境として適していると評価してもよい。また、評価装置の制御装置６は、比較した情報が全て条件を満たしていればハッチョウトンボの生息環境として適していると評価してもよい。評価が完了すると、ステップＳ０３へ進む。
【００４５】
ステップＳ０３では、評価装置の制御装置６は、評価結果を表示装置２に表示させる。表示は、結果のみとしてもよいが、判定結果（生息環境情報と生息環境条件との比較結果）も合わせて表示してもよい。以上により、評価処理が終了する。
【００４６】
＜生息環境整備＞
次に、ハッチョウトンボの生息環境整備方法について説明する。図１４は、実施形態に係るハッチョウトンボの生息環境整備方法の工程を示す。
【００４７】
準備工程では、ハッチョウトンボの生息環境を整備する対象となる領域の事前調査が行われる。準備工程における事前調査は、例えば、目視による現地視察でもよい。ハッチョウトンボの生息には湿地環境が適していることから、この観点から視察することで、ハッチョウトンボの生息環境に適するか否かを凡そ予測することができる。また、準備工程における事前調査において、生息環境情報を取得し上述した評価を行うようにしてもよい。準備工程において、上述した評価を行うことで、ハッチョウトンボの生息環境に適するか否かを的確に評価することができ、また、整備工程でどのような整備が必要か否かを判断することも可能となる。準備工程が終了すると、整備工程へ進む。
【００４８】
整備工程では、ハッチョウトンボの生息環境が整備される。整備工程は、新規に生息環境を整備する場合の他、整備された生息環境を管理する場合の双方に適用可能である。新たな生息環境の整備には、（１）誘致、（２）土壌移植、（３）幼虫の捕獲と移植、（４）成虫の捕獲と移植、（５）環境改善による生息環境づくり、が例示される。また、整備された生息環境の管理には、（ａ）貧栄養土壌による基盤環境整備、（ｂ）粘性土による基盤環境整備、（ｃ）貧栄養水の定常的な供給、（ｄ）植物の導入、（ｅ）土壌の移植が例示される。なお、新たな整備環境の整備の内容は、整備された生息環境の管理として用いることができる。また、整備された生息環境の管理の内容は、新規な整備環境の整備として用いることもできる。
【００４９】
（１）誘致
誘致では、例えば既存のハッチョウトンボに近い領域に新たな生息環境を整備する。本出願人による調査においても、既存の生息地の１ｋｍ以内に生息好適地が存在することが確認されている。従って、例えば、新たな生息環境を整備する領域は、既存の生息地の１ｋｍ以内とすることができる。なお、距離だけでなく、互いの位置関係も考慮して整備することが好ましい。
【００５０】
（２）土壌移植
土壌移植では、ハッチョウトンボの生息地から土壌を移植する。なお、移植元の生息状況への影響が少なくなるよう考慮して土壌を採取する。
【００５１】
（３）幼虫の捕獲と移植
幼虫の捕獲と移植では、ハッチョウトンボの生息地から幼虫（ヤゴ）を捕獲し、新たな生息環境を整備する領域へ移植する。なお、移植元の生息状況への影響が少なくなるよう考慮して幼虫の捕獲と移植を行う必要がある。
【００５２】
（４）成虫の捕獲と放虫
成虫の捕獲と放虫では、事前調査においてハッチョウトンボの生息に適していると評価された領域に、近隣生息地における成虫を捕獲して放虫する。なお、移植元の生息状況への影響が少なくなるよう考慮して成虫の捕獲と放虫を行う必要がある。
【００５３】
（５）環境改善による生息環境づくり
環境改善による生息環境づくりでは、事前調査などにより、現状で湿性条件を有していると判定された休耕田（放棄水田）を適切に維持管理する。その結果、高茎草本が優占している湿地帯を、ハッチョウトンボの生息に適した環境に改善することが可能となる。
【００５４】
環境改善の具体的な手法として、耕起ローテンションによる環境改善がある。図１５は、耕起によるローテーション管理模式図を示す。図１５に示すように、耕起ローテーションによる環境改善では、４つの領域（Ａ地点、Ｂ地点、Ｃ地点、Ｄ地点）を設定し、耕起の周期を４年とすると共に、各領域における耕起の時期を１年単位でずらしている。例えば、Ａ地点が耕起後４年目の際、Ｂ地点は耕起後３年目、Ｃ地点は耕起後２年後、Ｄ地点は耕起後１年目となる。このように耕起ローテーションによる環境改善を行うことで、維持管理作業の省力化を図りながら、多様な遷移段階の湿地環境を整備することができる。多様な遷移段階の湿地環境を整備可能とすることで、ハッチョウトンボの生息可能領域を広げることができる。その結果、ハッチョウトンボの個体数の増加が図れる。更に、ハッチョウトンボの生息可能領域を広げ、個体数の増加を図ることで、近親交配を抑制し遺伝子の保護を図ることができる。なお、各領域の間は、ハッチョウトンボが移動できるよう、例えば１ｋｍ以内とすることが好ましく、また、移動を妨げる障害物は無い方が好ましい。
【００５５】
（ａ）貧栄養土壌による基盤環境整備
貧栄養土壌による基盤環境整備では、土壌に貧栄養土壌を用いて整備する。貧栄養土壌とは、例えば、全窒素＜０．６ｇ／ｋｇとなるような土壌である。換言すると、貧栄養土壌は、評価処理において、ハッチョウトンボの生息環境として適していると評価される土壌である。貧栄養土壌を用いることで、植生遷移の進行を緩め、低茎草本が優占する植物群落を容易に維持することができる。
【００５６】
また、貧栄養土壌による基盤環境整備の他の形態では、土壌に有機物含有量が少ない土壌を用いて整備する。有機物含有量が少ない土壌とは、例えば、土色が５〜８／８、４〜６／６、４〜６／４（標準土色帳による。色相はいずれも７．５ＹＲ又は１０ＹＲ。）であり、炭素含有率（％）が０〜３の土壌である。換言すると、有機物含有量が少ない土壌は、評価処理において、ハッチョウトンボの生息環境として適していると評価される土壌である。有機物含有量が少ない土壌を用いることで、植生遷移の進行を緩め、低茎草本が優占する植物群落を容易に維持することができる。
【００５７】
（ｂ）粘性土による基盤環境整備
粘性土による基盤環境整備では、保水性の高い（排水性の悪い）粘性土壌を用いて整備する。保水性の高い粘性土壌とは、例えば、ＨＣ（重埴土）、ＬｉＣ（軽埴土）を含む土壌である。なお、地下水位が高い立地条件であれば、埴土以外の土でもよい。換言すると、保水性の高い粘性土壌とは、評価処理において、ハッチョウトンボの生息環境として適していると評価される土壌である。保水性の高い粘性土壌を用いることで、植生遷移の進行を緩め、低茎草本が優占する植物群落を容易に維持することができる。
【００５８】
（ｃ）貧栄養水の定常的な供給
貧栄養水の定常的な供給では、水質が貧栄養である水を定常的に供給する。貧栄養水とは、電気伝導度（μｓ／ｃｍ）が１７〜２１０、より好ましくは１７〜５５の水である。換言すると、貧栄養水とは、評価処理において、ハッチョウトンボの生息環境として適し
ていると評価される水である。貧栄養水を供給することで、植生遷移の進行が緩くなり、低茎草本が優占する植物群落を維持しやすくなる。
【００５９】
（ｄ）植物の導入
植物の導入では、ハッチョウトンボの生息環境に適した植物を導入して整備する。ハッチョウトンボの生息環境に適した植物には、アゼスゲ、イ、イボクサ、コアゼガヤツリ、サンカクイ、シカクイ、チゴザサ、ヒメジソ、ホタルイ、ミズゴケ、ミミカキグサ、モウセンゴケが例示される。これらの植物は、換言すると、評価処理において、ハッチョウトンボの生息環境として適していると評価される植物である。なお、種の供給源が近接する領域に確認できる場合には、人為的に植物を導入せず、自然侵入に任せるようにしてもよい。ハッチョウトンボの生息環境に適した植物を導入することで、低茎草本が優占する植物群落を容易に整備することができる。
【００６０】
（ｅ）土壌の移植
土壌の移植では、ハッチョウトンボの生息環境に適した植物の埋土種子を含む土壌を移植して整備する。例えば、近隣の休耕田などの表土を採取し、整備対象地の表層部へ移植する。その結果、低茎草本が優占する植物群落を容易に整備することができる。
【００６１】
評価工程では、整備工程で整備されたハッチョウトンボの生息環境が評価される。評価工程は、例えば、一定期間ごとに繰り返し行われる。そして、評価工程で、評価対象となる領域（整備された領域）がハッチョウトンボの生息環境に適さないと評価された場合、再度整備工程が行われる。
【００６２】
図１６は、整備環境方法を実行することで整備されるハッチョウトンボの生息環境イメージの断面図を示す。整備環境方法を実行することで整備されるハッチョウトンボの生息環境では、低茎の草本類が優占する湿生植物群落を備え、植被率６０％以下、水面率３０％以上、水深１．５〜５ｃｍであり、ハッチョウトンボの生息に適した環境となる。
【００６３】
＜効果＞
実施形態に係る評価装置によりハッチョウトンボの生息環境評価を実行することで、評価対象となる領域がハッチョウトンボの生息環境として適しているか否かを容易かつ正確に評価することができる。また、このような評価を利用してハッチョウトンボの生息環境整備を行うことで、ハッチョウトンボの生息環境を容易に整備することができる。また、実施形態に係るハッチョウトンボの整備環境方法によれば、新たな環境整備、既に存在する環境の管理を行うことができ、管理では、低茎草本が優占する植物群落を維持するためのメンテナンスの省力化を実現できる。
【００６４】
以上本発明の実施形態について説明したが、本発明はこれらに限らず、可能な限りこれらの組合せを含むことができる。また、上述した実施形態では、ハッチョウトンボを例に説明したが、調査対象を変更して条件を収集することで、本発明は、他の種類のトンボや更には動物の生息環境評価や生息環境整備にも幅広く用いることができる。
【符号の説明】
【００６５】
１・・・評価装置
２・・・表示装置
３・・・入力装置
４・・・記憶装置
５・・・インターフェース
６・・・制御装置
６１・・・ＣＰＵ
６２・・・メモリ
６３・・・情報取得部
６４・・・評価部
６５・・・出力部
【図１】
2012213336.tif 000003
【図２】
2012213336.tif 000004
【図３】
2012213336.tif 000005
【図４】
2012213336.tif 000006
【図５】
2012213336.tif 000007
【図６】
2012213336.tif 000008
【図７】
2012213336.tif 000009
【図８】
2012213336.tif 000010
【図９】
2012213336.tif 000011
【図１０】
2012213336.tif 000012
【図１１】
2012213336.tif 000013
【図１２】
2012213336.tif 000014
【図１３】
2012213336.tif 000015
【図１４】
2012213336.tif 000016
【図１５】
2012213336.tif 000017
【図１６】
2012213336.tif 000018